(57)【要約】【課題】図書情報データベースの新たなデータ項目として図書厚さ寸法を容易に得ることができる図書情報データベース処理システム、及びこの処理システムを用いた図書保管管理システムを提供すること。【解決手段】図書情報データベース処理システム２０は、既存の図書情報データベースＤＢ１が有する少なくとも各図書ごとの図書識別データと頁数データとを取得する取得部２０ａと、この取得部２０ａが取得した頁数データに基づき図書厚さ寸法を演算する演算部２０ｂと、図書識別データとこの図書識別データに対応づけて演算部２０ｂで演算された図書厚さ寸法データとを出力する出力部２０ｃと、を備えた。【選択図】図１
2010280463.tif 000002
【特許請求の範囲】
【請求項１】
各図書ごとに識別された図書識別データと該図書の頁数データとをデータ項目として少なくとも有する既存の図書情報データベースに基づき、新たなデータ項目を演算する図書情報データベース処理システムであって、
前記既存の図書情報データベースが有する少なくとも各図書ごとの図書識別データと頁数データとを取得する取得部と、該取得部が取得した頁数データに基づき図書厚さ寸法を演算する演算部と、前記図書識別データと該図書識別データに対応づけて前記演算部で演算された図書厚さ寸法データとを出力する出力部と、を備えたことを特徴とする図書情報データベース処理システム。
【請求項２】
前記既存の図書情報データベースは、各図書ごとの図書種別データをデータ項目として更に有し、
前記演算部は、各図書ごとに前記図書種別データに基づき予め設定された図書の構成紙あたりの紙厚さ寸法データを選定し、該紙厚さ寸法データと頁数データとに基づき図書厚さ寸法を演算することを特徴とする請求項１に記載の図書情報データベース処理システム。
【請求項３】
前記既存の図書情報データベースは、各図書ごとの図書種別データをデータ項目として更に有し、
前記演算部は、各図書ごとに前記図書種別データに基づき予め設定された装丁厚さ寸法データを選定し、該装丁厚さ寸法データと頁数データとに基づき図書厚さ寸法を演算することを特徴とする請求項１または２に記載の図書情報データベース処理システム。
【請求項４】
管理装置の指令に基づき、書庫に収容されている複数の図書が収納された複数のコンテナの中から、所定のコンテナを取り出してステーションに搬送するとともに、図書の貸出若しくは返却作業後に、前記ステーションより前記書庫にコンテナを搬送する図書保管管理システムであって、
前記管理装置は、前記図書情報データベース処理システムの前記出力部が出力した、前記図書識別データと該図書識別データに対応づけて前記演算部で演算された図書厚さ寸法データとをデータ項目として少なくとも有する図書厚さ情報データベースと、各コンテナ識別データと該コンテナ識別データに対応づけて該コンテナに収納された各図書の前記図書識別データとをデータ項目として少なくとも有するコンテナ情報データベースと、を用いて、各図書と各コンテナとを対応付けて図書を保管管理することを特徴とする請求項１ないし３のいずれかに記載の図書情報データベース処理システムを用いた図書保管管理システム。
【請求項５】
前記管理装置は、各コンテナごとに、コンテナに収納された各図書の前記図書識別データに対応づけて前記図書厚さ情報データベースが有する前記図書厚さ寸法データを加算して該コンテナ内の図書の総厚さ寸法を演算し、空コンテナの空き寸法から前記図書の総厚さ寸法を減算して該コンテナの空きスペース寸法を演算し、該コンテナのコンテナ識別データに対応づけた前記空きスペース寸法データを前記コンテナ情報データベースに記憶させており、
前記管理装置は、図書の貸出作業後に、前記コンテナ情報データベースに記憶されている貸出された図書が収納されていたコンテナの空きスペース寸法に該貸出された図書の図書厚さ寸法を加算した寸法を、該コンテナの新たな空きスペース寸法データとして前記コンテナ情報データベースに更新記憶させることを特徴とする請求項４に記載の図書保管管理システム。
【請求項６】
前記管理装置は、各コンテナごとに、コンテナに収納された各図書の前記図書識別データに対応づけて前記図書厚さ情報データベースが有する前記図書厚さ寸法データを加算して該コンテナ内の図書の総厚さ寸法を演算し、空コンテナの空き寸法から前記図書の総厚さ寸法を減算して該コンテナの空きスペース寸法を演算し、該コンテナのコンテナ識別データに対応づけた前記空きスペース寸法データを前記コンテナ情報データベースに記憶させており、
前記管理装置は、図書の返却作業時に、前記図書厚さ情報データベースが有する前記図書識別データに対応づけた各要返却図書ごとの前記図書厚さ寸法データに基づき、要返却図書の総厚さ寸法を演算し、前記コンテナ情報データベースの中から前記要返却図書の総厚さ寸法を収納可能な前記空きスペース寸法データを有するコンテナを特定して、該コンテナを前記書庫から前記ステーションに搬入指令し、
前記管理装置は、図書の返却作業後に、前記コンテナ情報データベースに記憶されている該コンテナの前記空きスペース寸法から前記要返却図書の総厚さ寸法を減算した寸法を、該コンテナの新たな空きスペース寸法データとして前記コンテナ情報データベースに更新記憶させることを特徴とする請求項４または５に記載の図書保管管理システム。
【発明の詳細な説明】
【技術分野】
【０００１】
本発明は、各図書ごとに識別された図書識別データと、この図書の頁数データとをデータ項目として少なくとも有する既存の図書情報データベースに基づき、新たなデータ項目を演算する図書情報データベース処理システム、及びこの処理システムを用いた図書保管管理システムに関する。
【背景技術】
【０００２】
ＴＲＣ（図書館流通センター）やＩＬＬ（国立情報学研究所）で使用される既存の目録データベースは、日本書籍出版協会のデータベース総目録を基礎とし、その図書データには図書高さ寸法情報（判型）や頁数情報はデータ項目として存在するが、図書の厚さ情報はデータ項目に存在しなかった。近年、図書をコンテナに収納してコンテナを書庫に収容する図書保管管理システムが増加しているが、所定のスペースを有するコンテナに各図書を収納するために、データ項目として図書の厚さ寸法データが必要であった。
【０００３】
従来の図書保管管理システムは、既存の図書情報データベースを用いて管理しており、ステーションにおける図書を書庫に返却する際に、ステーションの要返却図書を識別するとともに、既存の図書情報データベースが有しない図書厚さ寸法を実計測し、実計測した図書厚さ寸法に基づいて、返却に適した空きスペースを有するコンテナを特定して、このコンテナを搬送制御しているものがある（例えば、特許文献１参照）。
【先行技術文献】
【特許文献】
【０００４】
【特許文献１】特許第３６４１５４８号公報（第１６頁、第１９図）
【発明の概要】
【発明が解決しようとする課題】
【０００５】
しかしながら、特許文献１にあっては、各々の図書の厚さ寸法について実計測を行なうため、ステーションに厚さ寸法計測用の特段の機器を要するばかりか、図書返却の度ごとに計測作業を要し作業手間が煩雑になるという問題がある。
【０００６】
本発明は、このような問題点に着目してなされたもので、図書情報データベースの新たなデータ項目として図書厚さ寸法を容易に得ることができる図書情報データベース処理システム、及びこの処理システムを用いた図書保管管理システムを提供することを目的とする。
【課題を解決するための手段】
【０００７】
前記課題を解決するために、本発明の図書情報データベース処理システムは、
各図書ごとに識別された図書識別データと該図書の頁数データとをデータ項目として少なくとも有する既存の図書情報データベースに基づき、新たなデータ項目を演算する図書情報データベース処理システムであって、
前記既存の図書情報データベースが有する少なくとも各図書ごとの図書識別データと頁数データとを取得する取得部と、該取得部が取得した頁数データに基づき図書厚さ寸法を演算する演算部と、前記図書識別データと該図書識別データに対応づけて前記演算部で演算された図書厚さ寸法データとを出力する出力部と、を備えたことを特徴としている。
この特徴によれば、既存の図書情報データベースを利用して、演算部が、取得部が取得した頁数データに基づき図書厚さ寸法を演算することで、図書識別データに対応付けた図書厚さ寸法データを容易に得ることができるため、図書厚さ寸法データを用いて拡張性を高めた図書の管理が可能となる。
【０００８】
本発明の図書情報データベース処理システムは、
前記既存の図書情報データベースは、各図書ごとの図書種別データをデータ項目として更に有し、
前記演算部は、各図書ごとに前記図書種別データに基づき予め設定された図書の構成紙あたりの紙厚さ寸法データを選定し、該紙厚さ寸法データと頁数データとに基づき図書厚さ寸法を演算することを特徴としている。
この特徴によれば、演算部が、図書の高さ寸法に基づき予め設定された図書の構成紙あたりの紙厚さ寸法と、頁数とに基づき、図書厚さ寸法を演算することで、各図書の厚さ寸法をより正確に演算できる。
【０００９】
本発明の図書情報データベース処理システムは、
前記既存の図書情報データベースは、各図書ごとの図書種別データをデータ項目として更に有し、
前記演算部は、各図書ごとに前記図書種別データに基づき予め設定された装丁厚さ寸法データを選定し、該装丁厚さ寸法データと頁数データとに基づき図書厚さ寸法を演算することを特徴としている。
この特徴によれば、演算部が、図書の高さ寸法に基づき予め設定された装丁厚さ寸法と、頁数とに基づき、図書厚さ寸法を演算することで、各図書の厚さ寸法をより正確に演算できる。
【００１０】
本発明の図書情報データベース処理システムを用いた図書保管管理システムは、
管理装置の指令に基づき、書庫に収容されている複数の図書が収納された複数のコンテナの中から、所定のコンテナを取り出してステーションに搬送するとともに、図書の貸出若しくは返却作業後に、前記ステーションより前記書庫にコンテナを搬送する図書保管管理システムであって、
前記管理装置は、前記図書情報データベース処理システムの前記出力部が出力した、前記図書識別データと該図書識別データに対応づけて前記演算部で演算された図書厚さ寸法データとをデータ項目として少なくとも有する図書厚さ情報データベースと、各コンテナ識別データと該コンテナ識別データに対応づけて該コンテナに収納された各図書の前記図書識別データとをデータ項目として少なくとも有するコンテナ情報データベースと、を用いて、各図書と各コンテナとを対応付けて図書を保管管理することを特徴としている。
この特徴によれば、管理装置が、図書識別データに対応づけた図書厚さ寸法データを有する図書厚さ情報データベースと、コンテナ識別データに対応づけたコンテナに収納された各図書の図書識別データを有するコンテナ情報データベースと、を用いることで、各コンテナ内に収納された図書及びそのコンテナの空きスペースを管理できることになる。
【００１１】
本発明の図書情報データベース処理システムを用いた図書保管管理システムは、
前記管理装置は、各コンテナごとに、コンテナに収納された各図書の前記図書識別データに対応づけて前記図書厚さ情報データベースが有する前記図書厚さ寸法データを加算して該コンテナ内の図書の総厚さ寸法を演算し、空コンテナの空き寸法から前記図書の総厚さ寸法を減算して該コンテナの空きスペース寸法を演算し、該コンテナのコンテナ識別データに対応づけた前記空きスペース寸法データを前記コンテナ情報データベースに記憶させており、
前記管理装置は、図書の貸出作業後に、前記コンテナ情報データベースに記憶されている貸出された図書が収納されていたコンテナの空きスペース寸法に該貸出された図書の図書厚さ寸法を加算した寸法を、該コンテナの新たな空きスペース寸法データとして前記コンテナ情報データベースに更新記憶させることを特徴としている。
この特徴によれば、管理装置が、図書の貸出作業後に、貸出された図書が収納されていたコンテナが有していた空きスペース寸法に図書厚さ寸法を加算した寸法を、このコンテナの新たな空きスペース寸法データとしてコンテナ情報データベースに更新記憶させることで、図書の貸出後におけるコンテナの空きスペース寸法を得て、貸出後においても各図書を各コンテナに正確に収納管理できる。
【００１２】
本発明の図書情報データベース処理システムを用いた図書保管管理システムは、
前記管理装置は、各コンテナごとに、コンテナに収納された各図書の前記図書識別データに対応づけて前記図書厚さ情報データベースが有する前記図書厚さ寸法データを加算して該コンテナ内の図書の総厚さ寸法を演算し、空コンテナの空き寸法から前記図書の総厚さ寸法を減算して該コンテナの空きスペース寸法を演算し、該コンテナのコンテナ識別データに対応づけた前記空きスペース寸法データを前記コンテナ情報データベースに記憶させており、
前記管理装置は、図書の返却作業時に、前記図書厚さ情報データベースが有する前記図書識別データに対応づけた各要返却図書ごとの前記図書厚さ寸法データに基づき、要返却図書の総厚さ寸法を演算し、前記コンテナ情報データベースの中から前記要返却図書の総厚さ寸法を収納可能な前記空きスペース寸法データを有するコンテナを特定して、該コンテナを前記書庫から前記ステーションに搬入指令し、
前記管理装置は、図書の返却作業後に、前記コンテナ情報データベースに記憶されている該コンテナの前記空きスペース寸法から前記要返却図書の総厚さ寸法を減算した寸法を、該コンテナの新たな空きスペース寸法データとして前記コンテナ情報データベースに更新記憶させることを特徴としている。
この特徴によれば、管理装置が、図書の厚さ寸法の実測を要さずに図書厚さ情報データベースから図書の厚さ寸法を得ることができ、要返却図書の総厚さを収納可能な空きスペース寸法を有するコンテナをステーションに搬入させることで、ステーションの図書を容易且つ確実に書庫に返却できるばかりか、図書の返却作業後におけるコンテナの空きスペース寸法を得て、返却後においても各図書を各コンテナに正確に収納管理できる。
【図面の簡単な説明】
【００１３】
【図１】実施例における図書情報データベース処理システム及び図書保管管理システムを示すブロック図である。
【図２】図書保管管理システムの自動書庫及びステーションを示す平面図である。
【図３】自動書庫を示す一部側面図である。
【図４】ステーションを示す斜視図である。
【図５】コンテナを示す斜視図である。
【図６】図書の読取処理状況を示す斜視図である。
【図７】図書の返却処理を示すフローチャートである。
【発明を実施するための形態】
【００１４】
本発明に係る図書情報データベース処理システム及びこの処理システムを用いた図書保管管理システムを実施するための形態を実施例に基づいて以下に説明する。
【実施例】
【００１５】
先ず、実施例に係る図書情報データベース処理システムについて、図１を参照して説明する。
【００１６】
図１に示されるように、図書情報データベース処理システム（以下、処理システムと略す）２０は、既存のデータ項目からなる図書情報データベースＤＢ１に基づき、新たなデータ項目を演算するシステムである。
【００１７】
図書情報データベースＤＢ１は、例えば日本書籍出版協会のデータベース総目録等を基礎とするの既存のデータベースであり、図書データのデータ項目として、各図書ごとに、図書識別データとしての図書番号データ、図書名データ、副図書名データ、著者名データ、出版社データ、図書高さ寸法データ、頁数データ等が記憶されているデータベースである。
【００１８】
処理システム２０は、既存の図書情報データベースＤＢ１に含まれる少なくとも図書番号データと頁数データとを取得する取得部２０ａと、取得部２０ａが取得した頁数データに基づき図書厚さ寸法を演算する演算部２０ｂと、各図書ごとに図書番号データと図書番号データに対応付けて演算部２０ｂで演算された図書厚さ寸法データとを出力する出力部２０ｃと、を備えている。
【００１９】
次に、演算部２０ｂによる図書厚さ寸法の演算について詳述する。先ず、処理システム２０の取得部２０ａは、図書情報データベースＤＢ１から、各図書ごとの図書番号データ、頁数データ、及び図書高さ寸法データを抽出して取得する。取得した各データは、一時的に記憶部２０ｄに記憶させておく。
【００２０】
演算部２０ｂは、前記した既存の図書高さ寸法データに基づき、当該図書の種類を判別するとともに、当該図書のカバー（装丁）の種別を判別する。具体的には、演算部２０ｂは、例えば図書の高さ寸法が、１４８ｍｍの場合、文庫本と判別し、１８２ｍｍの場合、新書と判別し、そして１８２ｍｍ超の場合、一般書籍と判別する。更に演算部２０ｂは、図書の高さ寸法が、１８２ｍｍ以下の場合、すなわち文庫本若しくは新書の場合、当該図書のハードカバー無し（ソフトカバー）と判別し、１８２ｍｍ超の場合、すなわち一般書籍の場合、ハードカバー有りと判別する。制御装置は、判別した当該図書の種類及びハードカバーの有無データを、一時的に記憶部２０ｄに記憶させておく。
【００２１】
続いて、演算部２０ｂは、記憶部２０ｄに記憶されている当該図書の頁数データ、及びハードカバーの有無データに基づき、当該図書の厚さ寸法を新たに演算する。具体的には、演算部２０ｂは、当該図書のハードカバー無し（ソフトカバー）と判別されている場合、図書の各構成紙（表裏両紙面で２頁分に相当）１枚あたりの厚さとして予め設定された０．０６ｍｍ、図書厚さの余裕代及び図書の経時使用による構成紙の厚み増加の校正係数１．１、及び表紙・裏表紙となるソフトカバー厚さとして予め設定された３．０ｍｍを選定して各数値を用い、当該図書の厚さ寸法＝頁数÷２×０．０６（ｍｍ）×１．１＋３．０（ｍｍ）を演算する。また演算部２０ｂは、当該図書のハードカバー有りと判別されている場合、前記した各紙あたりの厚さとして予め設定された０．１ｍｍ、前記した厚み増加の校正係数１．１、及び表紙・裏表紙となるハードカバー厚さとして予め設定された６．０ｍｍを選定して各数値を用い、当該図書の厚さ寸法＝頁数÷２×０．１（ｍｍ）×１．１＋６．０（ｍｍ）を演算する。演算部２０ｂは、演算した当該図書の厚さ寸法を、一時的に記憶部２０ｄに記憶させておく。尚、上記したカバー厚さの数値、厚み増加の校正係数の数値は、適宜設定変更可能である。
【００２２】
全ての図書について上記した演算を行なった後、出力部２０ｃは、各図書ごとの図書番号データに対応付けた図書厚さ寸法データをデータ項目として加えた新たな図書厚さ情報データベースとして出力が可能である。この新たな図書厚さ情報データベースは後述する図書保管管理システムにおいて利用される。尚、処理システムは、前記した新たな図書厚さ情報データベースを処理システム自体に記憶する記憶装置を有していてもよい。
【００２３】
上述した処理システム２０の構成によれば、既存の図書情報データベースＤＢ１を利用して、演算部２０ｂが、取得部２０ａが取得した頁数データに基づき図書厚さ寸法を演算することで、図書識別データに対応付けた図書厚さ寸法データを容易に得ることができるため、図書厚さ寸法データを用いて拡張性を高めた図書の管理が可能となる。
【００２４】
また、演算部２０ｂが、図書の高さ寸法に基づき予め設定された図書の構成紙あたりの紙厚さ寸法と、頁数とに基づき、図書厚さ寸法を演算することで、各図書の厚さ寸法をより正確に演算できる。
【００２５】
更に、演算部２０ｂが、図書の高さ寸法に基づき予め設定されたカバー（装丁）厚さ寸法と、頁数とに基づき、図書厚さ寸法を演算することで、各図書の厚さ寸法をより正確に演算できる。
【００２６】
次に、本実施例に係る図書情報データベース処理システムを用いた図書保管管理システムについて、図１から図７を参照して説明する。
【００２７】
図２に示されるように、自動書庫１は、複数の図書を収容する複数のコンテナを複数基のスタッカークレーン（本実施例では４基のスタッカークレーン２ａ，２ｂ，２ｃ，２ｄ）により自動的に出し入れ自在に収納保管する書庫であって、この自動書庫１は、４基のスタッカークレーン２ａ，２ｂ，２ｃ，そして２ｄをそれぞれ挟む両側に、一対の格納棚４ａ，４ｂと、５ａ，５ｂと、６ａ，６ｂと、そして７ａ，７ｂが複数のコンテナを収容すべく前後に延設された高層の構造物として構築されている。
【００２８】
４基のスタッカークレーン２ａ，２ｂ，２ｃ，そして２ｄは、後述する管理装置の指令に基づき、格納棚４ａ，４ｂ，５ａ，５ｂ，６ａ，６ｂ、そして７ａ，７ｂの全ての位置に対応する位置まで前後並びに上下方向に自動走行し、図３に示されるように、位置決め停止してコンテナＣＴの出し入れを行う移動台１０を備えている。
【００２９】
次に、図５に示すように、コンテナＣＴは、複数の図書Ｂを起立状態でランダムに収容すべく上方が開放した一種類のボックス型で構成されていて、各コンテナＣＴには、個別に付与されたコンテナ識別データであるコンテナ番号を表示するバーコードＣＢ１を印刷したバーコードラベルが貼着されている。また、コンテナＣＴ内部に収納される各種図書Ｂにも、図書毎に個別に付与された図書識別データが符号化されたバーコードＣＢ２を印刷したバーコードラベルが貼着されている。
【００３０】
また、図２に示すように、自動書庫１に隣接して、自動書庫１からコンテナを搬入出可能であって所望の図書を貸出し若しくは返却できるステーション１３が設けられており、自動書庫１の格納棚４ａ，４ｂ，５ａ，５ｂ，６ａ，６ｂ、及び７ａ，７ｂと、ステーション１３との間にはコンテナＣＴを搬送するための搬送装置８が配設されている。このステーション１３は本実施例のように一箇所のみ設けても良いし、あるいは複数箇所設けても良い。
【００３１】
ステーション１３について詳述すると、図４に示すように、ステーション１３の上部は内部が中空である中空部１７に形成されている。この中空部１７内に搬送装置８から連続したコンベア１６が延設されており、図書Ｂが収納されているコンテナＣＴを中空部１７内に搬送可能となっている。更に、ステーション１３の上部正面側には、左右方向に中空部１７を開閉自在なスライド扉１８が取り付けられており、このスライド扉１８を開放することによって、中空部１７に搬送されてきたコンテナＣＴから図書Ｂを取り出せるようになっている。
【００３２】
スライド扉１８を開放した中空部１７内には、コンベア１６に連続してターンテーブル１１が配設されており、ステーション１３に搬入されたコンテナＣＴは、最終地点としてこのターンテーブル１１上に載置されるようになっている。ステーション１３における利用者は、コンテナ回転ボタン１２ａを押圧操作することで、コンテナＣＴに収容された所望の図書を適宜手前側に移動させ、当該図書を取り出すことができる。
【００３３】
次に、本発明の図書保管の管理装置について詳述する。
【００３４】
図１に示されるように、管理装置３０は、自動書庫１のスタッカークレーン２ａ，２ｂ，２ｃ，２ｄ及び搬送装置８を管理する管理サーバ、ステーション１３の通信端末１４及びバーコードリーダ９を管理する管理サーバ、そして後述する主制御装置２５にそれぞれＬＡＮ接続されており、管理装置３０は、上記した管理サーバ及び主制御装置２５を司っている。
【００３５】
本図書保管管理システムにおいて使用される情報データベースは、上述した図書に関する新たに構築した図書厚さ情報データベースＤＢ２と、コンテナに関するコンテナ情報データベースＤＢ３である。
【００３６】
図書厚さ情報データベースＤＢ２は、前述した処理システム２０の出力部２０ｃが出力した情報データベースであって、図書厚さ情報データベースＤＢ２には、データ項目として、各図書ごとに、図書番号データ、頁数データ、図書高さ寸法データ、及び図書厚さ寸法データ等が記憶されている。
【００３７】
尚、図書厚さ情報データベースＤＢ２のデータ項目として、上記した項目のほか、例えば図書の登録日、入庫日、出庫日、年数出庫回数等を記憶するようにしてもよい。
【００３８】
コンテナ情報データベースＤＢ３には、データ項目として、各コンテナごとに、コンテナの識別情報としてのコンテナ番号データ、収容可能な図書種別（サイズ）データ、コンテナに収納されている各図書の図書番号データ、コンテナが収容されている各格納棚における収容番地データ、及び後述するコンテナ内の空きスペース寸法データ等が記憶されている。
【００３９】
図書厚さ情報データベースＤＢ２及びコンテナ情報データベースＤＢ３に対して、主制御装置２５がアクセスできるようになっており、コンテナ情報データベースＤＢ３におけるコンテナに収納されている各図書の図書番号データ、収容番地データ、空きスペース寸法データ等は、主制御装置２５の制御に基づき、後述する図書の貸出し・返却に伴い随時、更新記憶が可能になっている。
【００４０】
コンテナ情報データベースＤＢ３の空きスペース寸法データについて詳述すると、先ず、主制御装置２５は、各コンテナごとに、コンテナに収納された各図書の図書番号データを抽出する。次に主制御装置２５は、図書厚さ情報データベースＤＢ２における図書番号データを照合して、図書番号が合致する図書の図書厚さ寸法データを抽出する。続いて主制御装置２５の演算手段２５ａは、各コンテナごとに、コンテナに収納された各図書の図書厚さ寸法を加算することで、コンテナに収納された図書の総厚さ寸法を算出する。最後に主制御装置２５の演算手段２５ａは、空コンテナの空き寸法から前記算出した図書の総厚さ寸法を減算することで、各コンテナごとに空きスペース寸法を算出し、コンテナ情報データベースＤＢ３に空きスペース寸法データとして記憶させる。
【００４１】
次に、図書の貸出処理について説明する。
【００４２】
先ず、ステーション１３内における図書利用者による特定の図書の貸出し依頼があると、主制御装置２５は、コンテナ情報データベースＤＢ３にアクセスし、当該図書が収納されているコンテナＣＴが収容された格納棚の番地を特定し、自動書庫１の管理サーバに対し当該コンテナを特定番地から出庫する出庫指令を出力する。
【００４３】
この出庫指令により、当該コンテナがステーション１３に到達し、ステーション１３において当該コンテナから取り出された図書について、貸出処理を行なうことで、主制御装置２５は、コンテナ情報データベースＤＢ３から当該図書の図書番号データを削除更新するとともに、図書厚さ情報データベースＤＢ２にアクセスして当該図書の図書番号に対応付けられた図書厚さ寸法データを抽出し、コンテナ情報データベースＤＢ３の当該コンテナのコンテナ番号データに対応付けられている空きスペース寸法に、前記した当該図書の図書厚さ寸法を加算した寸法を、新たな空きスペース寸法データとしてコンテナ情報データベースＤＢ３を更新記憶させる。
【００４４】
このような構成によれば、主制御装置２５を司る管理装置３０が、図書の貸出作業後に、貸出された図書が収納されていたコンテナが有していた空きスペース寸法に図書厚さ寸法を加算した寸法を、このコンテナの新たな空きスペース寸法データとしてコンテナ情報データベースＤＢ３に更新記憶させることで、図書の貸出後におけるコンテナの空きスペース寸法を得て、貸出後においても各図書を各コンテナに正確に収納管理できる。
【００４５】
次に、所望の貸出し図書が抜き出されたコンテナが、格納棚内における任意の空番地に入庫されることで、そのコンテナ番号を付与したバーコードＣＢ１が、入庫された格納棚の空き番地に具備された図示しないバーコードリーダ等により読み取られて、対応関係にある番地とコンテナのバーコードＣＢ１の信号がロケーションデータとしてそれぞれ主制御装置２５によりコンテナ情報データベースＤＢ３に更新記憶される。
【００４６】
次に、図書の返却処理について図１、図６、及び図７を参照して説明する。
【００４７】
先ず、ｓｔ０１のステップにおいて、ステーション１３の図書利用者は、閲覧済みの要返却図書Ｂについて、１冊ずつ、バーコードリーダ９によるバーコードＣＢ２の読取処理を行なう。主制御装置２５は、読取処理により識別されたデータを照合し、各要返却図書につき以下の処理を行なう。尚、各図書の読取処理については、必ずしもバーコードリーダによるバーコードの読取処理に限られず、他の公知技術を用いた読取処理、例えばタグリーダによるＲＦＩＤタグの読取処理であっても構わない。
【００４８】
各要返却図書の処理について説明すると、ｓｔ０２のステップにおいて、先ず図書情報データベースＤＢ２から図書番号を照合し、合致する図書番号の図書高さ寸法データを抽出し、この図書高さ寸法に基づき、当該図書を収納できるコンテナの種別（サイズ）を選定する。具体的には、例えば当該図書の高さ寸法が、２１０ｍｍ未満の場合、Ａ５用コンテナを選定し、２１０ｍｍ以上で２５７ｍｍ未満の場合、Ｂ５用コンテナを選定し、そして２５７ｍｍ以上で２９７ｍｍ未満の場合、Ａ４用コンテナを選定する。また、図書が横長本の場合、横長本用コンテナを選定する。尚、コンテナの種別（サイズ）は、コンテナごとに個別に設けられた仕切板の有無、仕切板の配置により、各コンテナごとに予め設定されている。ｓｔ０３のステップにおいて、主制御装置２５は、選定したコンテナの種別を、一時的に記憶手段２５ｂに記憶させておく。
【００４９】
続いて、ｓｔ０４のステップにおいて、主制御装置２５は、図書情報データベースＤＢ２から合致する図書番号の図書厚さ寸法データを抽出し、一時的に記憶手段２５ｂに記憶させておく。
【００５０】
ｓｔ０５のステップにおいて、要返却図書の残りがある場合、主制御装置２５は、図書利用者がｓｔ０１のステップの読取処理を行なうことで、上記したｓｔ０２〜ｓｔ０４の処理を各々の要返却図書について行なう。
【００５１】
次に、図書利用者は、全ての要返却図書について読込処理を済ませた後、ステーション１３の作業完了ボタン１２ｂを押圧操作する。作業完了ボタン１２ｂの押圧操作により、主制御装置２５は、上記した各々の要返却図書の種類、及び厚さ寸法に基づき、返却に適した空きスペースを有するコンテナを特定する。
【００５２】
具体的には、ｓｔ０６のステップにおいて、主制御装置２５は、全ての要返却図書の厚さ寸法を合計し、要返却図書の総厚さ寸法を算出する。次に、一時的に記憶手段２５ｂに記憶した各要返却図書の種類の中で、最も大型の図書を収納可能なコンテナの種別を選出する。
【００５３】
次に、ｓｔ０７のステップにおいて、主制御装置２５は、コンテナ情報データベースＤＢ３にアクセスし、上記のように選出したコンテナの種別、及び算出した要返却図書の総厚さ寸法を超える空きスペース寸法を有するという条件でコンテナの特定を試みる。ｓｔ０８のステップにおいて、前記条件を満足する単一のコンテナを特定できた場合、当該特定コンテナに対し、ステーション１３に向けて搬入指令処理を行なう。
【００５４】
また、前記条件を満足する単一のコンテナが複数存在する場合、条件を満たすコンテナの中で、要返却図書の総厚さ寸法に最も近い空きスペース寸法、すなわち最も小さい空きスペース寸法を有するコンテナを特定することが好ましい。このようにコンテナを特定することで、より大きな空きスペース寸法を有するコンテナを次回以降の返却作業に残すことができる。
【００５５】
尚、主制御装置２５は、前記条件を満たす単一のコンテナを特定できない場合、複数のコンテナを特定して、当該複数の特定コンテナに対し出庫指令を行い、要返却図書を複数組に分けて当該複数の特定コンテナに収納するようにしてもよい。
【００５６】
主制御装置２５は、前記したｓｔ０８のステップである搬入指令処理を行なった後、再びｓｔ０１のステップである読み取り処理の実行を待機するようになっている。
【００５７】
前述と同様に、図４に示されるように、図書利用者は、出庫されターンテーブル１１上に載置された特定コンテナを適宜前後反転させることで、特定コンテナの空きスペースを任意に手前側に配置させ、要返却図書を空きスペースに収納できる。図書利用者が、要返却図書を空きスペースに収納した後、作業完了ボタン１２ｂを押圧操作することで、主制御装置２５は、この特定コンテナをステーション１３から自動書庫１内の所定箇所に入庫させるとともに、当該コンテナ識別情報と入庫位置の識別情報とを関連付けてコンテナ情報データベースＤＢ３に更新記憶させる。
【００５８】
更に主制御装置２５は、当該特定コンテナが有している空きスペース寸法から、今回返却した要返却図書の総厚さ寸法を減算した寸法を、当該特定コンテナの新たな空きスペース寸法データとして、コンテナ情報データベースＤＢ３に更新記憶させる。
【００５９】
このような構成によれば、主制御装置２５を司る管理装置３０が、図書の厚さ寸法の実測を要さずに図書厚さ情報データベースＤＢ２から図書の厚さ寸法を得ることができ、要返却図書の総厚さを収納可能な空きスペース寸法を有するコンテナをステーション１３に搬入させることで、ステーション１３の図書を容易且つ確実に書庫に返却できるばかりか、図書の返却作業後におけるコンテナの空きスペース寸法を得て、返却後においても各図書を各コンテナに正確に収納管理できる。
【００６０】
以上説明したように、管理装置３０が、図書識別データに対応づけた図書厚さ寸法データを有する図書厚さ情報データベースＤＢ２と、コンテナ識別データに対応づけたコンテナに収納された各図書の図書識別データを有するコンテナ情報データベースＤＢ３と、を用いることで、各コンテナ内に収納された図書及びそのコンテナの空きスペースを管理できることになる。
【００６１】
以上、本発明の実施例を図面により説明してきたが、具体的な構成はこれら実施例に限られるものではなく、本発明の要旨を逸脱しない範囲における変更や追加があっても本発明に含まれる。
【００６２】
例えば、前記実施例では、図書厚さ情報データベースＤＢ２とコンテナ情報データベースＤＢ３とが個別の情報データベースとして構築され、主制御装置２５がそれぞれの情報データベースにアクセスしているが、例えば、図書厚さ情報データとコンテナ情報データとが直接に対応付けられた単一の情報データベースを構築し、この情報データベースにアクセスしてもよい。
【００６３】
また例えば、前記実施例では、図書情報データベース処理システム２０が、既存の図書情報データベースＤＢ１に基づき新たに図書厚さ情報データベースＤＢ２を構築しているが、例えば、図書情報データベース処理システムは、既存の図書情報データベースにデータ項目として図書厚さ寸法データを付加して、この図書情報データベースを拡張構築してもよい。更に、図書情報データベース処理システムは、既存の図書情報データベースに、データ項目として図書厚さ寸法データとコンテナ情報データとを付加して、この図書情報データベースを拡張構築し、図書保管管理システムの管理装置が、この拡張構築された図書情報データベースにアクセスしてもよい。
【符号の説明】
【００６４】
１                自動書庫
９                バーコードリーダ
１３              ステーション
２０              図書情報データベース処理システム
２０ａ            取得部
２０ｂ            演算部
２０ｃ            出力部
２５              主制御装置
２５ａ            演算手段
２５ｂ            記憶手段
３０              管理装置
【図１】
2010280463.tif 000003
【図２】
2010280463.tif 000004
【図３】
2010280463.tif 000005
【図４】
2010280463.tif 000006
【図５】
2010280463.tif 000007
【図６】
2010280463.tif 000008
【図７】
2010280463.tif 000009